(57)【要約】  アダプタソケット（１）のクイック着脱が可能な機器用キャビネットは、アダプタソケット（１）と、取付パネル（２）を有するとともに内部にＰＣＢ基板（５）が設置されたキャビネット本体と、を含む。機器用キャビネットは、キャビネット本体の内部に、前記取付パネル（２）に向けた補助ソケット差込側を有して前記キャビネット本体又はＰＣＢ基板（５）に設けられ、接触部がＰＣＢ基板（５）に電気的に接続される補助ソケット（４）をさらに含む。取付パネル（２）には、前記補助ソケット差込側に真っ向に対応するソケット差込口（６）が開けられる。アダプタソケット（１）の内側は、外部から内部へ前記ソケット差込口（６）から挿入されて前記補助ソケット差込側に差し込まれるアダプタソケット内側差込側（１１）である。ＰＣＢ基板（５）又はキャビネットに補助ソケット（４）を設けたことによって、使用時にアダプタソケット（１）のアダプタソケット内側差込側（１１）を外部から内部へソケット差込口（６）から挿入して補助ソケット差込側に差し込むが、アダプタソケット（１）に問題が生じて取り外しが必要となると、キャビネットを開くことなく直接アダプタソケット（１）を抜き出せばよく、アダプタソケット（１）の取り外しが簡単であり容易に行われる。【選択図】図２
2018519639.tif 000002
【特許請求の範囲】
【請求項１】
アダプタソケットと、取付パネルを有するとともに内部にＰＣＢ基板が設置されたキャビネット本体と、を含む機器用キャビネットにおいて、
キャビネット本体の内部に、前記取付パネルに向けた補助ソケット差込側を有して前記キャビネット本体又はＰＣＢ基板に設けられ、接触部がＰＣＢ基板に電気的に接続される補助ソケットをさらに含み、
取付パネルには、前記補助ソケット差込側に真っ向に対応するソケット差込口が開けられ、
アダプタソケットの内側が、外部から内部へ前記ソケット差込口から挿入されて前記補助座差込側に差し込まれるアダプタソケット内側差込側である、
ことを特徴とする機器用キャビネット。
【請求項２】
補助ソケットが前記ＰＣＢ基板に設けられ、
補助ソケットの接触部に、ＰＣＢ基板に半田付けされるピンが設けられている、
ことを特徴とする請求項１に記載の機器用キャビネット。
【請求項３】
前記アダプタソケットの外側が、アダプタコネクタに差し込むためのアダプタソケット外側差込側であり、
前記取付パネルの外面に当接する角板がアダプタソケットに設けられている、
ことを特徴とする請求項２に記載の機器用キャビネット。
【請求項４】
軸線が内外方向に沿って延びるねじ挿入孔が前記角板に設けられ、
ねじ挿入孔に対応するねじ穴が取付パネルに設けられ、
ねじ挿入孔とねじ穴とに締め付けねじが挿設されている、
ことを特徴とする請求項２又は３に記載の機器用キャビネット。
【発明の詳細な説明】
【技術分野】
【０００１】
本発明は、アダプタソケットのクイック着脱が可能な機器用キャビネットに関する。
【背景技術】
【０００２】
従来の機器用キャビネットは、図１に示すように、取付パネルを有するキャビネット本体を含み、キャビネット本体の内部にＰＣＢ基板が設けられ、取付パネルにアダプタソケットが設けられ、アダプタソケットの内側に導線が半田付けされ、導線がねじによってＰＣＢ基板に固定され、アダプタソケットの外側がアダプタコネクタに差し込むための差込側である。キャビネット内の機器を外部機器に接続する必要があると、アダプタソケットに適応するコネクタを使用してアダプタソケットに差し込んでキャビネットの内部機器と外部機器との接続を実現する。このような従来の機器用キャビネットに存在する問題として、アダプタソケットに故障が生じ修理が必要されるとき、導線の末端がねじによってＰＣＢ基板に固定されているため、アダプタソケットを直ちに取り外して交換することができず、アダプタソケットを取り外すにはキャビネットを解体しなければならないが、アダプタソケットの取り外しに非常に手間がかかる。
【発明の概要】
【発明が解決しようとする課題】
【０００３】
本発明は、キャビネットを開くことなくアダプタソケットを取り外すことができる機器用キャビネットを提供することを目的とする。
【課題を解決するための手段】
【０００４】
アダプタソケットと、取付パネルを有するとともに内部にＰＣＢ基板が設置されたキャビネット本体と、を含む機器用キャビネットにおいて、キャビネット本体の内部に、前記取付パネルに向けた補助ソケット差込側を有して前記キャビネット本体又はＰＣＢ基板に設けられ、接触部がＰＣＢ基板に電気的に接続される補助ソケットをさらに含み、取付パネルには、前記補助ソケット差込側に真っ向に対応するソケット差込口が開けられ、アダプタソケットの内側が、外部から内部へ前記ソケット差込口から挿入されて前記補助座差込側に差し込まれるアダプタソケット内側差込側である。
【０００５】
補助ソケットが前記ＰＣＢ基板に設けられ、補助ソケットの接触部には、ＰＣＢ基板に半田付けされるピンが設けられている。
【０００６】
前記アダプタソケットの外側が、アダプタコネクタに差し込むためのアダプタソケット外側差込側であり、前記取付パネルの外面に当接する角板がアダプタソケットに設けられている。
【０００７】
軸線が内外方向に沿って延びるねじ挿入孔が前記角板に設けられ、ねじ挿入孔に対応するねじ穴が取付パネルに設けられ、ねじ挿入孔とねじ穴とに締め付けねじが挿設されている。
【発明の効果】
【０００８】
本発明は、ＰＣＢ基板又はキャビネットに補助ソケットを設けたことによって、使用時にアダプタソケットのアダプタソケット内側差込側を外部から内部へソケット差込口から挿入して補助ソケット差込側に差し込むが、アダプタソケットに問題が生じて取り外しが必要となると、キャビネットを開くことなく直接アダプタソケットを抜き出せばよく、アダプタソケットの取り外しが簡単であり容易に行われる。
【図面の簡単な説明】
【０００９】
【図１】図１は、本発明の背景技術の概略構成図である。
【図２】図２は、本発明の一実施形態の概略構成図である。
【図３】図３は、図２におけるアダプタソケットと補助ソケットの組み合わせ図である。
【図４】図４は、図３におけるアダプタソケットの概略構成図である。
【図５】図５は、図３における補助ソケットの概略構成図である。
【図６】図６は、補助ソケットとＰＣＢ基板及び取付パネルとの組み合わせ図である。
【発明を実施するための形態】
【００１０】
アダプタソケットのクイック着脱が可能な機器用キャビネットの実施形態は、図２〜６に示すように、アダプタソケット１と、取付パネル２を有するキャビネット本体と、を含む。キャビネット本体の内部にＰＣＢ基板５（すなわちプリント基板）と補助ソケット４が設けられている。本実施形態における補助ソケット４は、ＰＣＢ基板に設けられたＰＣＢソケットである。補助ソケット４の接触部には、ＰＣＢ基板に半田付けされるピン１０が設けられている。補助ソケット４は、取付パネル２に向けた補助ソケット差込側を有する。補助ソケットには、補助ソケットのＰＣＢ基板への固定を実現する逆爪１２が設けられている。各逆爪は、２つの弾性弁構造である。ＰＣＢ基板には、逆爪１２と組み合わせる係止溝２０が設けられている。装着時に、２つの弾性弁に付勢して２つの弾性弁を互いに近づかせ、それから２つの弾性弁を係止溝に入れ込ませる。弾性弁への付勢を解除すると、弾性弁が復帰し、弾性弁上のフックが係止溝に係止して補助ソケットの固定を実現する。取付パネルには、補助ソケット差込側に真っ向に対応するソケット差込口６が開けられている。アダプタソケット１の内側は、外部から内部へソケット差込口から挿入されて補助ソケット差込側に差し込まれるアダプタソケット内側差込側１１である。アダプタソケット内側差込側には、内外方向に沿って延びる案内キー溝８が設けられている。補助ソケット差込側には、案内キー溝に組み合わせる案内キー９が設けられている。アダプタソケット１の外側は、アダプタコネクタに差し込むためのアダプタソケット外側差込側である。アダプタソケット１には、取付パネルの外面に当接する角板３が設けられている。角板には、軸線が内外方向に沿って延びるねじ挿入孔が設けられている。取付パネルには、ねじ挿入孔に対応するねじ穴が設けられている。ねじ挿入孔とねじ穴とには、締め付けねじ７が挿設されている。
【００１１】
使用時に、補助ソケットをＰＣＢ基板に設け、補助ソケットの補助ソケット差込側が取付パネルのソケット差込口に対応し、アダプタソケットのアダプタソケット内側差込側は、取付パネルが角板に当接するまで、ソケット差込口から外部から内部へ挿入して補助ソケット差込側に差し込むことで、アダプタソケットとＰＣＢ基板との電気接続を実現することができ、締め付けねじをロックすることによってアダプタソケットの取付工程が完成する。アダプタソケットに故障が生じると、締め付けねじを取り外し、アダプタソケットを取り出して新しいアダプタソケットに交換すればよい。補助ソケットを直接ＰＣＢ基板に設けることによって、製品の構造を簡単化し、対応する導線部分が省かれる。取付パネルが角板に当接すると、補助ソケットとアダプタソケットとの差し込みが完成し、アダプタソケットによる補助ソケットへの過度の差し込みを回避し、補助ソケットのピンが内外方向での外力によりＰＣＢ基板から半田割れになるように保証できる。アダプタソケットが締め付けねじによって取付パネルに固定されるため、取付パネルによってアダプタソケットに支持を与えることで、アダプタソケットから補助ソケットへの過度の押圧によるピンの半田割れを回避することができる。
【００１２】
本発明の他の実施形態において、補助ソケットがキャビネットに固設されてもよい。この場合、補助ソケットは、導線を介してＰＣＢ基板に接続される。アダプタソケットの外側は、差込側でなくてもよい。例えば、導線を介して信号をアダプタソケットに導入し又はアダプタソケットから引き出す。もちろん、アダプタソケットと補助ソケットとの間の差込力のみに頼ってアダプタソケットの固定を実現してもよい。この場合、角板と締め付けねじの設置を必要としない。
【００１３】
（付記）
（付記１）
アダプタソケットと、取付パネルを有するとともに内部にＰＣＢ基板が設置されたキャビネット本体と、を含む機器用キャビネットにおいて、
キャビネット本体の内部に、前記取付パネルに向けた補助ソケット差込側を有して前記キャビネット本体又はＰＣＢ基板に設けられ、接触部がＰＣＢ基板に電気的に接続される補助ソケットをさらに含み、
取付パネルには、前記補助ソケット差込側に真っ向に対応するソケット差込口が開けられ、
アダプタソケットの内側が、外部から内部へ前記ソケット差込口から挿入されて前記補助座差込側に差し込まれるアダプタソケット内側差込側である、
ことを特徴とする機器用キャビネット。
【００１４】
（付記２）
補助ソケットが前記ＰＣＢ基板に設けられ、
補助ソケットの接触部に、ＰＣＢ基板に半田付けされるピンが設けられている、
ことを特徴とする付記１に記載の機器用キャビネット。
【００１５】
（付記３）
前記アダプタソケットの外側が、アダプタコネクタに差し込むためのアダプタソケット外側差込側であり、
前記取付パネルの外面に当接する角板がアダプタソケットに設けられている、
ことを特徴とする付記２に記載の機器用キャビネット。
【００１６】
（付記４）
軸線が内外方向に沿って延びるねじ挿入孔が前記角板に設けられ、
ねじ挿入孔に対応するねじ穴が取付パネルに設けられ、
ねじ挿入孔とねじ穴とに締め付けねじが挿設されている、
ことを特徴とする付記２又は３に記載の機器用キャビネット。
【図１】
2018519639.tif 000003
【図２】
2018519639.tif 000004
【図３】
2018519639.tif 000005
【図４】
2018519639.tif 000006
【図５】
2018519639.tif 000007
【図６】
2018519639.tif 000008
【手続補正書】
【提出日】平成29年12月27日(2017.12.27)
【手続補正１】
【補正対象書類名】明細書
【補正対象項目名】０００２
【補正方法】変更
【補正の内容】
【０００２】
従来の機器用キャビネットは、図１に示すように、取付パネル２を有するキャビネット本体を含み、キャビネット本体の内部にＰＣＢ基板が設けられ、取付パネル２にアダプタソケット１が設けられ、アダプタソケット１の内側に導線３が半田付けされ、導線３がねじによってＰＣＢ基板に固定され、アダプタソケット１の外側がアダプタコネクタに差し込むための差込側である。キャビネット内の機器を外部機器に接続する必要があると、アダプタソケットに適応するコネクタを使用してアダプタソケットに差し込んでキャビネットの内部機器と外部機器との接続を実現する。このような従来の機器用キャビネットに存在する問題として、アダプタソケットに故障が生じ修理が必要されるとき、導線の末端がねじによってＰＣＢ基板に固定されているため、アダプタソケットを直ちに取り外して交換することができず、アダプタソケットを取り外すにはキャビネットを解体しなければならないが、アダプタソケットの取り外しに非常に手間がかかる。
【手続補正２】
【補正対象書類名】明細書
【補正対象項目名】０００４
【補正方法】変更
【補正の内容】
【０００４】
アダプタソケットと、取付パネルを有するとともに内部にＰＣＢ基板が設置されたキャビネット本体と、を含む機器用キャビネットにおいて、キャビネット本体の内部に、前記取付パネルに向けた補助ソケット差込側を有して前記キャビネット本体又はＰＣＢ基板に設けられ、接触部がＰＣＢ基板に電気的に接続される補助ソケットをさらに含み、取付パネルには、前記補助ソケット差込側に真っ向に対応するソケット差込口が開けられ、アダプタソケットの内側が、外部から内部へ前記ソケット差込口から挿入されて前記補助ソケット差込側に差し込まれるアダプタソケット内側差込側である。
【手続補正３】
【補正対象書類名】明細書
【補正対象項目名】００１１
【補正方法】変更
【補正の内容】
【００１１】
使用時に、補助ソケットをＰＣＢ基板に設け、補助ソケットの補助ソケット差込側が取付パネルのソケット差込口に対応し、アダプタソケットのアダプタソケット内側差込側は、取付パネルが角板に当接するまで、ソケット差込口から外部から内部へ挿入して補助ソケット差込側に差し込むことで、アダプタソケットとＰＣＢ基板との電気接続を実現することができ、締め付けねじをロックすることによってアダプタソケットの取付工程が完成する。アダプタソケットに故障が生じると、締め付けねじを取り外し、アダプタソケットを取り出して新しいアダプタソケットに交換すればよい。補助ソケットを直接ＰＣＢ基板に設けることによって、製品の構造を簡単化し、対応する導線部分が省かれる。取付パネルが角板に当接すると、補助ソケットとアダプタソケットとの差し込みが完成し、アダプタソケットによる補助ソケットへの過度の差し込みを回避し、補助ソケットのピンが内外方向での外力によりＰＣＢ基板から半田割れにならないように保証できる。アダプタソケットが締め付けねじによって取付パネルに固定されるため、取付パネルによってアダプタソケットに支持を与えることで、アダプタソケットから補助ソケットへの過度の押圧によるピンの半田割れを回避することができる。
【手続補正４】
【補正対象書類名】特許請求の範囲
【補正対象項目名】全文
【補正方法】変更
【補正の内容】
【特許請求の範囲】
【請求項１】
アダプタソケット（１）と、取付パネル（２）を有するとともに内部にＰＣＢ基板（５）が設置されたキャビネット本体と、を含む機器用キャビネットにおいて、
キャビネット本体の内部に、前記取付パネル（２）に向けた補助ソケット差込側を有して前記キャビネット本体又はＰＣＢ基板（５）に設けられ、接触部がＰＣＢ基板（５）に電気的に接続される補助ソケット（４）をさらに含み、
取付パネル（２）には、前記補助ソケット差込側に真っ向に対応するソケット差込口（６）が開けられ、
アダプタソケット（１）の内側が、外部から内部へ前記ソケット差込口（６）から挿入されて前記補助ソケット差込側に差し込まれるアダプタソケット内側差込側（１１）である、
ことを特徴とする機器用キャビネット。
【請求項２】
補助ソケット（４）が前記ＰＣＢ基板（５）に設けられ、
補助ソケット（４）の接触部に、ＰＣＢ基板（５）に半田付けされるピン（１０）が設けられている、
ことを特徴とする請求項１に記載の機器用キャビネット。
【請求項３】
前記アダプタソケット（１）の外側が、アダプタコネクタに差し込むためのアダプタソケット外側差込側であり、
前記取付パネル（２）の外面に当接する角板（３）がアダプタソケット（１）に設けられている、
ことを特徴とする請求項２に記載の機器用キャビネット。
【請求項４】
軸線が内外方向に沿って延びるねじ挿入孔が前記角板（３）に設けられ、
ねじ挿入孔に対応するねじ穴が取付パネル（２）に設けられ、
ねじ挿入孔とねじ穴とに締め付けねじ（７）が挿設されている、
ことを特徴とする請求項２又は３に記載の機器用キャビネット。
【国際調査報告】
2018519639.tif 000009
2018519639.tif 000010
2018519639.tif 000011
2018519639.tif 000012